(57)【特許請求の範囲】
【請求項１】
測定データを記録する記録部と、前記測定データの送信を要求する送信要求信号を測定データ送信装置に送信すると共に当該測定データ送信装置から送信された前記測定データを前記記録部に記録させる記録装置側処理部とを備え、
前記記録装置側処理部は、予め規定された順序で連続するＮ個（Ｎは、３以上の自然数）の前記測定データのうちのＭａ個目（Ｍａは、（Ｎ−１）以下の自然数）からＭｂ個目（Ｍｂは、Ｍａ以上でＮ以下の自然数）までの当該測定データの送信を要求する前記送信要求信号を前記測定データ送信装置に送信する第１処理と、前記測定データ送信装置から送信された前記測定データを前記Ｎ個の測定データのうちの前記Ｍａ個目からＭｂ個目までの測定データとして前記記録部に記録させる第２処理とを複数回実行することによって当該Ｎ個の測定データを前記記録部に記録させると共に、前記第１処理における前記送信要求信号の送信後に前記Ｍａ個目からＭｂ個目までの測定データのうちの１個以上を正常に受信することができなかったときに当該Ｍａ個目からＭｂ個目までの測定データの再送を要求する前記送信要求信号を前記測定データ送信装置に送信する第３処理と前記第２処理とを当該第３処理および当該第２処理の順で実行する測定データ記録装置。
【請求項２】
前記記録装置側処理部は、予め規定された条件を満たす前記測定データが前記測定データ送信装置から送信されたときに、当該規定された条件に対応させて予め規定された第４処理を実行する請求項１記載の測定データ記録装置。
【請求項３】
請求項１または２記載の測定データ記録装置と、物理量を測定して前記測定データを生成する測定部、および前記送信要求信号を受信したときに前記Ｍａ個目からＭｂ個目までの測定データを前記測定データ記録装置に送信する送信装置側処理部を有する前記測定データ送信装置としての測定装置とを備えて構成されている測定データ記録システム。
【発明の詳細な説明】
【技術分野】
【０００１】
本発明は、測定データ送信装置から送信された測定データを受信して記録部に記録させる測定データ記録装置、および測定データ送信装置としての測定装置と測定データ記録装置とを備えて構成された測定データ記録システムに関するものである。
【背景技術】
【０００２】
例えば、特開２００４−２００７８７号公報には、ネットワークを介して計測データを連続的にデータ伝送可能に構成されたデータ通信システム（積算流量計）が開示されている。このデータ通信システムでは、流量計において一定時間毎に計測処理を実行して計測値を取り込むと共に、流量計に接続されたデータ送信部からネットワークを介してデータ受信部（パソコン）に計測値を送信することで、データ受信部において計測値（流量データ）を累積加算して積算流量を求める構成が採用されている。この場合、データ送信部は、流量計から出力されるパルス信号を取り込むデータ入力部と、複数のデータ格納領域が設けられてパルス信号の値を各格納領域に保持する記憶部と、一定時間を計時するタイマとを備え、データ入力部がタイマの計時周期毎にパルス信号を取り込んでその値を記憶部に転送することで、計測値が記憶部内に転送順に記憶される構成が採用されている。
【０００３】
また、このデータ通信システムでは、データ送信部がスキャンカウンタを備えており、記憶部の各データ格納領域に保持されている計測値（計測データ）をデータ受信部に送信する処理の都度、送信する計測値の数を計数して、その値（カウント値）を計測値に付与した状態でデータ受信部に送信する（計測値とカウント値とを合わせたフレーム構成のデータを送信する）構成が採用されている。具体的には、１個目の計測値を送信する際には、１個目の計測値、および「１」とのカウント値を合わせたデータをデータ受信部に送信し、２個目の計測値を送信する際には、２個目の計測値、および「２」とのカウント値を合わせたデータをデータ受信部に送信する。これにより、このデータ通信システムでは、データ受信部において、判定部が、受信したデータに含まれているカウント値と、前回の受信時におけるカウント値とを比較することで受信抜けの有無を判定することが可能となっている。
【０００４】
さらに、このデータ通信システムでは、データ受信部において受信抜けがある（受信したデータが連続していない）と判定部が判定したときに、補償部が、最新の受信データにおける計測値、前回受信した計測値、および前々回受信した計測値に基づき、受信抜けした計測値を補償する構成が採用されている。これにより、このデータ通信システムでは、通信エラー等によってデータ送信部から送信されたデータ（計測値）がデータ受信部によって正常に受信されなかったとしても、予め規定された数の計測値に基づいて、積算流量を算出することが可能となっている。
【先行技術文献】
【特許文献】
【０００５】
【特許文献１】特開２００４−２００７８７号公報（第３−１２頁、第１−１２図）
【発明の概要】
【発明が解決しようとする課題】
【０００６】
ところが、従来のデータ通信システムには、以下の問題点が存在する。すなわち、従来のデータ通信システムでは、データ送信部が、送信したデータの数を計数するスキャンカウンタを備えてスキャンカウンタによる計数値を計測値と共にデータ受信部に送信することで、データ受信部において受信抜けの有無を検出する構成が採用されている。この場合、この種のシステムでは、測定処理を実行して測定結果を送信する測定装置（従来のデータ通信システムにおける流量計およびデータ送信部）の携行性や設置性を向上させるために、この測定装置をできるだけ小型化すべきとの要請がある。また、この種のシステムでは、商用電源等が存在しない測定現場においても測定処理を実行することができるように、バッテリを電源として使用できるように構成された測定装置が採用されることが多い。しかしながら、従来のデータ通信システムでは、スキャンカウンタを備えている分だけ、データ送信部の構成が複雑化して小型化が困難であると共に、スキャンカウンタによる計数処理や、計測値に係数値を付加して送信用のデータを生成する処理を必要とする分だけデータ送信部の消費電力が多くなっており、長時間に亘る測定データ記録処理を実行できないという問題点がある。
【０００７】
また、従来のデータ通信システムでは、データ受信部において受信抜けが生じたときに、補償部が、受信抜けしたデータの計測値を補償する構成が採用されている。このため、例えば、予め規定されたレベルを超える計測値が送信されたときに警報を発する構成を採用している場合において、正常に受信できなかったデータの計測値が規定レベルを超える値であったとしても、最新の受信データにおける計測値、前回受信した計測値、および前々回受信した計測値が規定されたレベル以下のときには、計測値が規定レベルを超えるように補償されないため、警報を発することができないという問題点もある。
【０００８】
本発明は、かかる問題点に鑑みてなされたものであり、測定データ送信装置の小型化および消費電力の低減を図ると共に、Ｎ個の測定データのすべてを確実に取得し得る測定データ記録装置および測定データ記録システムを提供することを主目的とする。
【課題を解決するための手段】
【０００９】
上記目的を達成すべく請求項１記載の測定データ記録装置は、測定データを記録する記録部と、前記測定データの送信を要求する送信要求信号を測定データ送信装置に送信すると共に当該測定データ送信装置から送信された前記測定データを前記記録部に記録させる記録装置側処理部とを備え、前記記録装置側処理部は、予め規定された順序で連続するＮ個（Ｎは、３以上の自然数）の前記測定データのうちのＭａ個目（Ｍａは、（Ｎ−１）以下の自然数）からＭｂ個目（Ｍｂは、Ｍａ以上でＮ以下の自然数）までの当該測定データの送信を要求する前記送信要求信号を前記測定データ送信装置に送信する第１処理と、前記測定データ送信装置から送信された前記測定データを前記Ｎ個の測定データのうちの前記Ｍａ個目からＭｂ個目までの測定データとして前記記録部に記録させる第２処理とを複数回実行することによって当該Ｎ個の測定データを前記記録部に記録させると共に、前記第１処理における前記送信要求信号の送信後に前記Ｍａ個目からＭｂ個目までの測定データのうちの１個以上を正常に受信することができなかったときに当該Ｍａ個目からＭｂ個目までの測定データの再送を要求する前記送信要求信号を前記測定データ送信装置に送信する第３処理と前記第２処理とを当該第３処理および当該第２処理の順で実行する。
【００１０】
また、請求項２記載の測定データ記録装置は、請求項１記載の測定データ記録装置において、前記記録装置側処理部は、予め規定された条件を満たす前記測定データが前記測定データ送信装置から送信されたときに、当該規定された条件に対応させて予め規定された第４処理を実行する。
【００１１】
また、請求項３記載の測定データ記録システムは、請求項１または２記載の測定データ記録装置と、物理量を測定して前記測定データを生成する測定部、および前記送信要求信号を受信したときに前記Ｍａ個目からＭｂ個目までの測定データを前記測定データ記録装置に送信する送信装置側処理部を有する前記測定データ送信装置としての測定装置とを備えて構成されている。
【発明の効果】
【００１２】
請求項１記載の測定データ記録装置では、記録装置側処理部が、Ｎ個のうちのＭａ個目からＭｂ個目までの測定データの送信を要求する送信要求信号を測定データ送信装置に送信する第１処理と、測定データ送信装置から送信された測定データをＮ個のうちのＭａ個目からＭｂ個目までの測定データとして記録部に記録させる第２処理とを複数回実行することによってＮ個の測定データを記録部に記録させると共に、Ｍａ個目からＭｂ個目までの測定データのうちの１個以上を正常に受信することができなかったときにＭａ個目からＭｂ個目までの測定データの再送を要求する送信要求信号を測定データ送信装置に送信する第３処理と上記の第２処理とを第３処理および第２処理の順で実行する。また、請求項３記載の測定データ記録システムでは、上記の測定データ記録装置と測定データ送信装置としての測定装置とを備えて構成されている。
【００１３】
したがって、請求項１記載の測定データ記録装置、および請求項３記載の測定データ記録システムによれば、測定データ送信装置（測定装置）が測定データ記録装置からの送信要求信号に従って要求された測定データを送信することで測定データ送信装置（測定装置）から測定データ記録装置に所望の測定データのすべてを送信させることができるため、測定データ送信装置（測定装置）において測定データ記録装置に送信した測定データを特定するための処理を不要とすることができる。これにより、測定データ送信装置（測定装置）の消費電力を十分に低減することができるため、長時間に亘って測定データ記録処理を実行することができると共に、測定データ記録装置に送信した測定データを特定するための処理を実行するための構成（スキャンカウンタ等）が不要となる結果、測定データ送信装置（測定装置）を十分に小型化することができる。また、受信抜けが生じたときに、補償部が、最新の受信データにおける計測値、前回受信した計測値、および前々回受信した計測値に基づいて受信抜けした計測値を補償する従来のデータ通信システムとは異なり、いずれかの測定データを正常に受信することができなかったとしても、その測定データに代えて実際の測定値とは相違する値の測定データが補償されることなく、つまりその測定データに代えて実際の測定値とは相違する値の測定データが生成されることなく、実際の測定値を示す測定データ（正常に受信することができなかった測定データ）を再送させて確実に取得することができる。
【００１４】
また、請求項２記載の測定データ記録装置によれば、記録装置側処理部が、予め規定された条件を満たす測定データが測定データ送信装置から送信されたときに、規定された条件に対応させて予め規定された第４処理を実行することにより、予め規定された条件を満たす測定データを正常に受信することができなかったとしても、その測定データが再送されたときに、予め規定された第４処理を確実に実行することができる。
【図面の簡単な説明】
【００１５】
【図１】測定データ記録システム１００（測定装置１および測定データ回収装置２）のブロック図である。
【図２】測定装置１における記憶部１５内に設けられたデータ格納バッファ１５ａの格納領域Ａａ１〜Ａａｎ、および測定データ回収装置２における記憶部２５内に設けられたデータ格納バッファ２５ａの格納領域Ａｂ１〜Ａｂｎについて説明するための説明図である。
【図３】データ格納バッファ１５ａ，２５ａにおける格納領域Ａａ１〜Ａａｎ，Ａｂ１〜Ａｂｎ内への測定データの格納状態について説明するための説明図である。
【図４】データ格納バッファ１５ａ，２５ａにおける格納領域Ａａ１〜Ａａｎ，Ａｂ１〜Ａｂｎ内への測定データの格納状態について説明するための他の説明図である。
【図５】データ格納バッファ１５ａ，２５ａにおける格納領域Ａａ１〜Ａａｎ，Ａｂ１〜Ａｂｎ内への測定データの格納状態について説明するためのさらに他の説明図である。
【図６】データ格納バッファ１５ａ，２５ａにおける格納領域Ａａ１〜Ａａｎ，Ａｂ１〜Ａｂｎ内への測定データの格納状態について説明するためのさらに他の説明図である。
【図７】データ格納バッファ１５ａ，２５ａにおける格納領域Ａａ１〜Ａａｎ，Ａｂ１〜Ａｂｎ内への測定データの格納状態について説明するためのさらに他の説明図である。
【図８】データ格納バッファ１５ａ，２５ａにおける格納領域Ａａ１〜Ａａｎ，Ａｂ１〜Ａｂｎ内への測定データの格納状態について説明するためのさらに他の説明図である。
【図９】データ格納バッファ１５ａ，２５ａにおける格納領域Ａａ１〜Ａａｎ，Ａｂ１〜Ａｂｎ内への測定データの格納状態について説明するためのさらに他の説明図である。
【発明を実施するための形態】
【００１６】
以下、本発明に係る測定データ記録装置および測定データ記録システムの実施の形態について、添付図面を参照して説明する。
【００１７】
図１に示すように、測定データ記録システム１００は、測定装置１および測定データ回収装置２を備えて構成されている。なお、この測定データ記録システム１００は、複数台の測定装置１、および複数台の測定データ回収装置２を備えて構成することもできるが、理解を容易とするために、１台の測定装置１、および１台の測定データ回収装置２で構成した例（１台の測定装置１、および１台の測定データ回収装置２を使用して測定データを記録する例）について以下に説明する。
【００１８】
測定装置１は、「測定データ送信装置」としての「測定装置」の一例であって、測定部１１、操作部１２、表示部１３、通信部１４、記憶部１５および制御部１６を備えている。測定部１１は、制御部１６と相まって「測定部」を構成し、「物理量（電気的パラメータ）」の一例である「温度」を測定することができるように構成されている。具体的には、測定部１１は、図示しない温度センサを備えると共に、後述するように、制御部１６の制御に従い、所定時間間隔で温度センサからのセンサ信号Ｓｓに基づいて測定対象の温度を測定して測定データＤｓを制御部１６に出力する。操作部１２は、測定装置１による測定処理条件を設定するための操作スイッチや、測定処理を開始／停止するスタート／ストップスイッチなどの各種操作スイッチを備え、スイッチ操作に応じた操作信号を制御部１６に出力する。
【００１９】
表示部１３は、一例として液晶表示パネルを備え、制御部１６の制御に従い、測定結果や、測定装置１の動作状態などを表示する。通信部１４は、一例として、無線通信部で構成され、制御部１６と相まって「送信装置側処理部」を構成する。この通信部１４は、後述するように測定データ回収装置２から送信された送信要求信号Ｓ０を受信して制御部１６に転送すると共に、後述するように制御部１６によって生成されて記憶部１５に記憶される測定データＤ１−１，Ｄ１−２・・を制御部１６の制御に従って測定データ回収装置２に送信する。記憶部１５は、制御部１６の演算結果を一時的に記憶する。この場合、図２に示すように、記憶部１５は、上記の測定データＤ１−１，Ｄ１−２・・（以下、区別しないときには「測定データＤ１」ともいう）を記憶可能な複数の格納領域Ａａ１，Ａａ２・・Ａａｎ（以下、区別しないときには「格納領域Ａａ」ともいう）を有するデータ格納バッファ１５ａを備えている。
【００２０】
制御部１６は、測定装置１を総括的に制御する。具体的には、制御部１６は、予め設定された測定条件に従って測定部１１を制御して温度測定処理を実行させる。また、制御部１６は、「測定部」として機能して、測定部１１から所定時間間隔で順次出力される測定データＤｓに基づいて測定データＤ１を生成して記憶部１５のデータ格納バッファ１５ａにおける各格納領域Ａａに記憶させる。なお、本例では、各格納領域Ａａに記憶される各測定データＤ１が「連続するＮ個の測定データ」に相当すると共に、各測定データＤ１の元となる測定データＤｓの測定部１１からの出力順序（すなわち、測定時刻順）が「予め規定された順序」に相当する。さらに、制御部１６は、後述するように、測定データ回収装置２から送信された送信要求信号Ｓ０が通信部１４によって受信されたときに、「送信装置側処理部」として機能して、送信要求信号Ｓ０によって送信を要求された測定データＤ１を記憶部１５から読み出して通信部１４から測定データ回収装置２に送信させる。
【００２１】
一方、測定データ回収装置２は、「測定データ記録装置」の一例であって、図１に示すように、ハードディスクドライブ２１、操作部２２、表示部２３、通信部２４、記憶部２５および制御部２６を備えている。ハードディスクドライブ２１は、後述するようにして測定装置１から送信されて記憶部２５に記憶された各測定データＤ１に基づいて制御部２６によって生成される測定データＤ１０を記憶する。なお、ハードディスクドライブ２１に代えて、メモリーカード等の各種リムーバブルメディア（図示せず）に測定データＤ１０を記憶させる構成を採用することもできる。操作部２２は、測定装置１からの測定データＤ１の回収処理の条件や、ハードディスクドライブ２１に記憶させる測定データＤ１０のファイル名等を入力操作するための操作スイッチを備え、スイッチ操作に応じた操作信号を制御部２６に出力する。表示部２３は、一例として、液晶表示パネルを備え、制御部２６の制御に従って各種表示画面を表示する。
【００２２】
通信部２４は、一例として、無線通信部で構成され、制御部２６と相まって「記録装置側処理部」を構成する。この通信部２４は、後述するようにして、制御部２６の制御に従って測定装置１に送信要求信号Ｓ０を送信すると共に、測定装置１から送信された測定データＤ１を受信して制御部２６に転送する。記憶部２５は、「記録部」の一例であって、通信部２４によって受信されて制御部２６に転送された測定データＤ１を一時的に記憶する。この場合、図２に示すように、記憶部２５は、上記の各測定データＤ１を記憶可能な複数の格納領域Ａｂ１，Ａｂ２・・Ａｂｎ（以下、区別しないときには「格納領域Ａｂ」ともいう）を有するデータ格納バッファ２５ａを備えている。
【００２３】
制御部２６は、測定データ回収装置２を総括的に制御する。具体的には、制御部２６は、一例として、操作部２２の操作によって測定装置１からの測定データＤ１の回収処理の開始を指示されたときに、通信部２４を制御してＮ個（Ｎは、３以上の自然数）の測定データＤ１のうちのＭａ個目（Ｍａは、（Ｎ−１）以下の自然数）からＭｂ個目（Ｍｂは、Ｍａ以上でＮ以下の自然数）までの測定データＤ１の送信を要求する送信要求信号Ｓ０を測定装置１に送信させる（「第１処理」の一例）。また、制御部２６は、測定装置１から送信されて通信部２４によって受信された測定データＤ１をＭａ個目からＭｂ個目までの測定データＤ１として記憶部２５のデータ格納バッファ２５ａにおける各格納領域Ａｂに記憶（記録）させる（「第２処理」の一例）。
【００２４】
この場合、この測定データ記録システム１００では、測定装置１の記憶部１５に記憶されている各測定データＤ１を複数回に分けて測定データ回収装置２に送信させるために、制御部２６が、上記の送信要求信号Ｓ０の送信処理、および送信された測定データＤ１を記憶部２５に記憶させる処理の両処理を交互に複数回実行する。さらに、制御部２６は、送信要求信号Ｓ０の送信によって測定装置１に対して送信を要求した測定データＤ１のうちの１個以上を正常に受信することができなかったときに、正常に受信することができなかった測定データＤ１を含むＭａ個目からＭｂ個目までの測定データＤ１の再送を要求する送信要求信号Ｓ０を測定装置１に送信すると共に（「第３処理」の一例）、測定装置１から送信された（再送された）測定データＤ１を記憶部２５の各格納領域Ａｂに記憶させる（「第２処理」の他の一例）。
【００２５】
また、制御部２６は、測定装置１からの測定データＤ１が通信部２４から転送される都度、その測定データＤ１の値（本例では、温度）が、予め規定された温度を超えているか否かを判別し、規定温度を超えているときに、図示しないブザーから警報音を発すると共に、規定温度を超えた旨のメッセージを表示部２３に表示させる警報処理（「第４処理」の一例）を実行する。さらに、制御部２６は、測定装置１から送信されたすべての測定データＤ１が正常に受信されて、これらが記憶部２５に正常に記録されたときに、Ｎ個の測定データＤ１を１つのデータファイルにまとめて測定データＤ１０としてハードディスクドライブ２１に記録させる。
【００２６】
なお、本例の測定データ記録システム１００では、一例として、上記の測定データ回収装置２が携帯型のパーソナルコンピュータで構成されている。この場合、携帯型のパーソナルコンピュータで構成された測定データ回収装置２に代えて、専用の測定データ回収装置（パーソナルコンピュータ等の汎用の装置を利用しない構成）を「測定データ記録装置」として採用して「測定データ記録システム」を構成することもできる。
【００２７】
この測定データ記録システム１００によって測定対象の温度を所定時間間隔で測定して記録する際には、一例として、測定装置１の操作部１２を操作することによって測定時間間隔および測定回数（または、測定時間）を設定する。この際には、一例として、１秒間隔で１８回の温度測定を実行するように設定する。なお、詳細な説明を省略するが、測定データ回収装置２において予め生成した動作条件（測定時間間隔や、測定回数または測定時間等）を測定データ回収装置２から測定装置１に転送して、下記の処理を実行させることもできる。次いで、操作部１２のスタート／ストップスイッチを操作する。これに応じて、制御部１６が、温度測定処理を開始する。
【００２８】
この温度測定処理では、制御部１６は、設定された上記の条件に基づき、測定部１１を制御して１秒間隔での温度測定を開始させる。これに応じて、測定部１１は、センサ信号Ｓｓに基づいて測定対象の温度を１秒間隔で測定して測定データＤｓを制御部１６に順次出力する。また、制御部１６は、測定部１１から出力された測定データＤｓに基づいて測定データＤ１を生成し、生成した測定データＤ１を記憶部１５のデータ格納バッファ１５ａにおける各格納領域Ａａに順次記憶させる。具体的には、制御部１６は、図３に示すように、１個目の測定データＤｓが測定部１１から出力されたときに、この測定データＤｓに基づいて測定データＤ１−１を生成して格納領域Ａａ１に記憶させ、２個目の測定データＤｓが測定部１１から出力されたときに、この測定データＤｓに基づいて測定データＤ１−２を生成して格納領域Ａａ２に記憶させる。
【００２９】
なお、図３は、３個目の測定データＤｓに基づいて生成した測定データＤ１−３の格納領域Ａａ３への記憶が完了した状態を図示している。このように、測定部１１から出力される測定データＤｓに基づく測定データＤ１の生成、および生成した測定データＤ１の格納領域Ａａへの記憶を繰り返し実行することにより、温度測定処理を開始してから例えば１０秒が経過した時点においては、図４に示すように、記憶部１５のデータ格納バッファ１５ａにおける格納領域Ａａ１〜Ａａ１０に測定データＤ１−１〜Ｄ１−１０がそれぞれ記憶された状態となる。
【００３０】
一方、この測定データ記録システム１００では、測定装置１の記憶部１５にある程度の数の測定データＤ１が記憶された状態において、測定装置１から測定データ回収装置２に測定データＤ１を送信して測定データ回収装置２の記憶部２５に記憶させ、すべての測定データＤ１を記憶部２５に記憶させたときに、これら測定データＤ１を１つにまとめて測定データＤ１０としてハードディスクドライブ２１に記録することができるように構成されている（測定データ回収装置２による測定データＤ１の回収処理）。なお、以下に説明する測定データＤ１の回収処理については、測定装置１による温度測定処理が終了した後（すなわち、この例では、測定装置１において測定データＤ１−１〜Ｄ１−１８が記憶部１５に記憶された後）に実行することもできるが、一例として、測定装置１による温度測定処理の実行中に、既に記憶部１５に記憶された測定データＤ１の回収処理を開始する例について説明する。
【００３１】
具体的には、測定装置１による上記の温度測定処理によって生成される測定データＤ１−１〜Ｄ１−１８を測定装置１から測定データ回収装置２に回収する際には、測定データ回収装置２の操作部２２を操作して、回収処理の開始を指示する。この際に、制御部２６は、一例として、測定データＤ１を５個ずつ順に送信させて記憶部２５に順次記憶させる。具体的には、制御部２６は、まず、Ｎ＝１８個の測定データＤ１のうちのＭａ＝１個目からＭｂ＝５個目までの測定データＤ１の送信を要求する送信要求信号Ｓ０を通信部２４から測定装置１に送信させる（「第１処理」の一例）。この際に、測定装置１では、制御部１６が、通信部１４によって受信された送信要求信号Ｓ０の内容に従い、記憶部１５のデータ格納バッファ１５ａにおける格納領域Ａａ１〜Ａａ５から測定データＤ１−１〜Ｄ１−５をこの順で読み出し、読み出した順に通信部１４から測定データ回収装置２に送信させる。
【００３２】
また、測定データ回収装置２では、制御部２６が通信部２４によって受信された測定データＤ１を、測定装置１から送信された順序（すなわち、測定装置１において生成された順序であり、かつ、通信部２４によって受信された順序）で記憶部２５のデータ格納バッファ２５ａにおける格納領域Ａｂ１，Ａｂ２・・に順次記憶させる。具体的には、制御部２６は、測定装置１から送信された１個目の測定データＤ１（この例では、測定データＤ１−１）をＮ＝１８個の測定データＤ１のうちの１個目の測定データＤ１として格納領域Ａｂ１に記憶させ、測定装置１から送信された２個目の測定データＤ１（この例では、測定データＤ１−２）をＮ＝１８個の測定データＤ１のうちの２個目の測定データＤ１として格納領域Ａｂ２に記憶させる（「第２処理」の一例）。
【００３３】
これにより、１回目の送信要求信号Ｓ０に従って測定装置１から５個の測定データＤ１が送信された時点においては、図５に示すように、記憶部２５のデータ格納バッファ２５ａにおける格納領域Ａｂ１〜Ａｂ５に測定データＤ１−１〜Ｄ１−５がそれぞれ記憶された状態となる。なお、この測定データ記録システム１００では、測定データ回収装置２が測定装置１から送信された測定データＤ１を受信する都度、その測定データＤ１に基づいて特定される測定対象の温度が、予め規定された温度を超えているかを判別し、規定温度を超える測定データＤ１であると判別したときに、警報を発する構成が採用されているが、測定データＤ１の回収処理に関する理解を容易とするために、規定温度を超える測定データＤ１であるか否かの判別、および警報を発する処理に関しては、後に詳細に説明する。
【００３４】
一方、測定装置１に対する送信要求信号Ｓ０の送信によって要求した５個の測定データＤ１の記憶部２５への記憶を完了したときに、制御部２６は、測定装置１から次の５個の測定データＤ１を送信させる。具体的には、制御部２６は、Ｎ＝１８個の測定データＤ１のうちのＭａ＝６個目からＭｂ＝１０個目までの測定データＤ１の送信を要求する送信要求信号Ｓ０を通信部２４から測定装置１に送信させる（「第１処理」の他の一例）。これに応じて、測定装置１では、制御部１６が、通信部１４によって受信された送信要求信号Ｓ０の内容に従い、記憶部１５のデータ格納バッファ１５ａにおける格納領域Ａａ６〜Ａａ１０から測定データＤ１−６〜Ｄ１−１０をこの順で読み出し、読み出した順に通信部１４から測定データ回収装置２に送信させる。
【００３５】
また、測定データ回収装置２では、制御部２６が通信部２４によって受信された測定データＤ１を、測定装置１から送信された順序で記憶部２５のデータ格納バッファ２５ａにおける格納領域Ａｂ６，Ａｂ７・・に順次記憶させる。これにより、２回目に送信した送信要求信号Ｓ０に従って測定装置１から５個の測定データＤ１が送信された時点においては、図６に示すように、記憶部２５のデータ格納バッファ２５ａにおける格納領域Ａｂ１〜Ａｂ１０に測定データＤ１−１〜Ｄ１−１０がそれぞれ記憶された状態となる。
【００３６】
さらに、測定装置１に対する送信要求信号Ｓ０の送信によって要求した５個の測定データＤ１の記憶部２５への記憶を完了したときに、制御部２６は、測定装置１から次の５個の測定データＤ１を送信させる。この際には、上記の１回目の送信要求信号Ｓ０の送信時、および２回目の送信要求信号Ｓ０の送信時と同様に測定装置１から５個の測定データＤ１が送信され、測定データ回収装置２においてこの５個の測定データＤ１が正常に受信されたときには、記憶部２５のデータ格納バッファ２５ａにおける対応する格納領域Ａｂに順次記憶される。
【００３７】
一方、３回目の送信要求信号Ｓ０の送信に応じて測定装置１から測定データＤ１が送信されたときに、一例として、５個の測定データＤ１のうちの２個目（この例では、１２個目の測定データＤ１−１２）以降の測定データＤ１を正常に受信することができなかったときには、図７に示すように、記憶部２５のデータ格納バッファ２５ａにおける格納領域Ａｂ１〜Ａｂ１１に測定データＤ１−１〜Ｄ１−１１がそれぞれ記憶され、かつ、格納領域Ａｂ１２〜Ａｂ１５には測定データＤ１が存在しない状態となる。このように、送信要求信号Ｓ０の送信後に、要求した測定データＤ１のうちの１個以上を正常に受信することができなかったときに、制御部２６は、一例として、正常に受信することができなかった測定データＤ１と共に測定装置１から送信させるべき５個の測定データＤ１（この例では、Ｍａ＝１１個目からＭｂ＝１５個目までの測定データＤ１）を特定可能な受信不良データＤｘを記憶部２５に記憶させて、測定データＤ１の回収処理を続行する。
【００３８】
具体的には、制御部２６は、上記の受信不良データＤｘを記憶部２５に記憶させた後に、通信部２４から送信要求信号Ｓ０を送信させて、測定装置１から次の５個の測定データＤ１（この例では、測定データＤ１−１６以降のデータが測定データＤ１−１６〜Ｄ１−１８の３個しか存在しないため、次の３個の測定データＤ１）を送信させる。これに応じて、測定装置１では、制御部１６が、通信部１４によって受信された送信要求信号Ｓ０の内容に従い、記憶部１５のデータ格納バッファ１５ａにおける格納領域Ａａ１６〜Ａａ１８から測定データＤ１−１６〜Ｄ１−１８をこの順で読み出し、読み出した順に通信部１４から測定データ回収装置２に送信させる。
【００３９】
また、測定データ回収装置２では、制御部２６が通信部２４によって受信された測定データＤ１を、測定装置１から送信された順序で記憶部２５のデータ格納バッファ２５ａにおける格納領域Ａｂ１６〜Ａｂ１８に順次記憶させる。これにより、４回目に送信した送信要求信号Ｓ０に従って測定装置１から３個の測定データＤ１が送信された時点において、本例では、図８に示すように、記憶部２５のデータ格納バッファ２５ａにおける格納領域Ａｂ１〜Ａｂ１１に測定データＤ１−１〜Ｄ１−１１が記憶され、かつ格納領域Ａｂ１６〜Ａｂ１８に測定データＤ１−１６〜Ｄ１−１８が記憶された状態となる。
【００４０】
また、Ｎ＝１８個目の測定データＤ１を記憶部２５に記憶させた後に、制御部２６は、上記の受信不良データＤｘに基づき、正常に受信できなかった測定データＤ１を測定装置１から再送させる。具体的には、制御部２６は、受信不良データＤｘに基づき、正常に受信できなかった測定データＤ１と共に測定装置１から送信された測定データＤ１（この例では、Ｍａ＝１１個目からＭｂ＝１５個目までの測定データＤ１）を特定すると共に、この５個の測定データＤ１の再送を要求する送信要求信号Ｓ０を通信部２４から送信させる（「第３処理」の一例）。これに応じて、測定装置１では、制御部１６が、通信部１４によって受信された送信要求信号Ｓ０の内容に従い、記憶部１５のデータ格納バッファ１５ａにおける格納領域Ａａ１１〜Ａａ１５から測定データＤ１−１１〜Ｄ１−１５をこの順で読み出し、読み出した順に通信部１４から測定データ回収装置２に送信させる。
【００４１】
また、測定データ回収装置２では、制御部２６が通信部２４によって受信された測定データＤ１を、測定装置１から送信された順序で記憶部２５のデータ格納バッファ２５ａにおける格納領域Ａｂ１１，Ａｂ１２・・に順次記憶させる。これにより、再送を要求する送信要求信号Ｓ０に従って測定装置１から５個の測定データＤ１が送信された時点においては、図９に示すように、記憶部２５のデータ格納バッファ２５ａにおける格納領域Ａｂ１〜Ａｂ１８に測定データＤ１−１〜Ｄ１−１８がそれぞれ記憶された状態となる。以上により、Ｎ＝１８個の測定データＤ１のすべての回収が完了する。
【００４２】
一方、この測定データ記録システム１００では、前述したように、測定データ回収装置２が測定装置１から送信された測定データＤ１を受信する都度、その測定データＤ１に基づいて特定される測定対象の温度が、規定温度を超えているかを判別し、規定温度を超えているときに警報を発する構成が採用されている。具体的には、一例として、測定装置１による温度測定処理の開始から６秒が経過した時点において、予め規定された温度を超える高い温度が測定されたときには、その際に測定部１１から出力される測定データＤｓに基づいて生成される測定データＤ１（この例では、測定データＤ１−６）が、規定温度を超える温度を示すデータとなる。
【００４３】
したがって、この例では、測定データ回収装置２の制御部２６が、測定データＤ１−６を含む５個の測定データＤ１の送信を要求する送信要求信号Ｓ０（上記の例では、２回目の送信要求信号Ｓ０）を通信部２４から送信させ、これに応じて測定装置１から送信された測定データＤ１が受信されたときに（「予め規定された条件を満たす測定データが測定データ送信装置から送信されたとき」との状態の一例）、最初の測定データＤ１の値が規定温度を超えていると判別する。この際に、制御部２６は、図示しないブザーから警報音を発すると共に、一例として「測定対象が規定温度を超えました」とのメッセージを表示部２３に表示させる（「第４処理」の一例である「警報処理」）。これにより、警報音またはメッセージに接した利用者は、測定対象が規定温度を超えた旨を認識する。
【００４４】
なお、２回目の送信要求信号Ｓ０に応じて測定装置１から送信されて正常に受信することができた測定データＤ１が規定温度を超えている例について説明したが、前述した例における測定データＤ１−１２のように、正常に受信することができなかった測定データＤ１が規定温度を超えている場合には、この測定データＤ１が再送された際に上記の警報処理が実行される。また、前述したＮ＝１８個の測定データＤ１のすべてが規定温度以下であったときには、制御部２６は、このＮ＝１８個の測定データＤ１のすべての格納領域Ａｂへの記憶が完了したときに、これらを１つのデータファイルにまとめて測定データＤ１０を生成し、生成した測定データＤ１０をハードディスクドライブ２１に記憶させる。これにより、測定装置１からの回収処理が完了する。
【００４５】
このように、この測定データ回収装置２では、制御部２６が、通信部２４を制御してＮ個のうちのＭａ個目からＭｂ個目までの測定データＤ１の送信を要求する送信要求信号Ｓ０を測定装置１に送信させる「第１処理」と、測定装置１から送信された測定データＤ１をＮ個のうちのＭａ個目からＭｂ個目までの測定データＤ１として記憶部２５に記録させる「第２処理」とを複数回実行することによってＮ個の測定データＤ１を記憶部２５に記録させると共に、Ｍａ個目からＭｂ個目までの測定データＤ１のうちの１個以上を正常に受信することができなかったときに、通信部２４を制御してＭａ個目からＭｂ個目までの測定データＤ１の再送を要求する送信要求信号Ｓ０を測定装置１に送信する「第３処理」と上記の「第２処理」とをこの順で実行する。また、この測定データ記録システム１００では、上記の測定データ回収装置２と「測定データ送信装置」としての測定装置１とを備えて構成されている。
【００４６】
したがって、この測定データ回収装置２、および測定データ記録システム１００によれば、測定装置１が測定データ回収装置２からの送信要求信号Ｓ０に従って要求された測定データＤ１を送信することで測定装置１から測定データ回収装置２に所望の測定データＤ１のすべてを送信させることができるため、測定装置１において測定データ回収装置２に送信した測定データＤ１を特定するための処理（従来のデータ通信システムにおけるスキャンカウンタによるカウント処理）を不要とすることができる。これにより、測定装置１の消費電力を十分に低減することができるため、長時間に亘って測定データＤ１の記録処理を実行することができると共に、測定データ回収装置２に送信した測定データＤ１を特定するための処理を実行するための構成（スキャンカウンタ等）が不要となる結果、測定装置１を十分に小型化することができる。また、受信抜けが生じたときに、補償部が、最新の受信データにおける計測値、前回受信した計測値、および前々回受信した計測値に基づいて受信抜けした計測値を補償する従来のデータ通信システムとは異なり、いずれかの測定データＤ１を正常に受信することができなかったとしても、その測定データＤ１に代えて実際の測定値とは相違する値の測定データＤ１が補償されることなく、つまりその測定データに代えて実際の測定値とは相違する値の測定データＤ１が生成されることなく、実際の測定値を示す測定データＤ１（正常に受信することができなかった測定データＤ１）を再送させて確実に取得することができる。
【００４７】
また、この測定データ回収装置２、および測定データ記録システム１００によれば、制御部２６が、予め規定された条件を満たす測定データＤ１（この例では、「警報レベル」を超える温度の測定データＤ１）が測定装置１から送信されたときに、規定された条件（この例では、「警報レベルを超える温度」との条件）に対応させて予め規定された「第４処理（この例では、「警報処理」）」を実行することにより、予め規定された条件を満たす測定データＤ１を正常に受信することができなかったとしても、その測定データＤ１が再送されたときに、予め規定された「第４処理（この例では、「警報処理」）」を確実に実行することができる。
【００４８】
なお、「測定データ記録装置」や「測定データ記録システム」の構成は、上記の測定データ回収装置２や測定データ記録システム１００の構成に限定されない。具体的には、例えば、測定装置１と測定データ回収装置２との間で無線通信によって送信要求信号Ｓ０や測定データＤ１を送受信する構成を例に挙げて説明したが、「測定データ送信装置（測定装置）」と「測定データ受信装置（測定データ回収装置）」とを通信ケーブルを介して相互に接続した状態において、「測定データ受信装置」から「測定データ送信装置」に「送信要求信号」を送信したり、「測定データ送信装置」から「測定データ受信装置」に「測定データ」を送信して記録したりする構成を採用することもできる。また、「測定データ送信装置（測定装置）」と「測定データ受信装置（測定データ回収装置）」とを公衆回線網等の各種ネットワークを介して相互に接続した状態において、「送信要求信号」や「測定データ」を送受信する構成を採用することもできる。
【００４９】
さらに、「予め規定された順序で連続するＮ個の測定データ」は、上記の例示のような「測定順で連続するＮ個の測定データ」に限定されず、例えば、「測定順とは逆順で連続するＮ個の測定データ」、「測定値が大きい順で連続するＮ個の測定データ」および「測定値が小さい順で連続するＮ個の測定データ」などの各種の順序で連続する測定データがこれに含まれる。また、「第４処理」は、上記の例のような「警報処理」に限定されず、例えば、「予め規定されたレベルを下回る測定値の測定データが送信されたときに、これを破棄する処理」および「予め規定されたレベルを上回る測定値の測定データが送信されたときに、これを破棄する処理」などの各種の処理がこれに含まれる。
【００５０】
さらに、「物理量」としての「温度」を測定して測定データＤ１を記録する構成を例に挙げて説明したが、電流値、電圧値、抵抗値、電力値、位相、湿度、輝度（光度）、照度、流量および雨量等の各種の「物理量」を測定して、その「測定データ」を記録する構成の「測定データ記録装置」や「測定データ記録システム」においても、上記の測定データ回収装置２および測定データ記録システム１００と同様の構成を採用することで、同様の効果を奏することができる。
【符号の説明】
【００５１】
１００  測定データ記録システム
１  測定装置
２  測定データ回収装置
１１  測定部
１４，２４  通信部
１５，２５  記憶部
１５ａ，２５ａ  データ格納バッファ
１６，２６  制御部
２１  ハードディスクドライブ
２６  制御部
Ａａ１〜Ａａｎ，Ａｂ１〜Ａｂｎ  格納領域
Ｄ１−１，Ｄ１−２・・，Ｄ１０，Ｄｓ  測定データ
Ｓ０  送信要求信号
【図１】
0005936443.tif 000002
【図２】
0005936443.tif 000003
【図３】
0005936443.tif 000004
【図４】
0005936443.tif 000005
【図５】
0005936443.tif 000006
【図６】
0005936443.tif 000007
【図７】
0005936443.tif 000008
【図８】
0005936443.tif 000009
【図９】
0005936443.tif 000010